(57)【要約】【課題】書き留められた文字を隠すことができる付箋を提供する。【解決手段】付箋１は、右側に開口１０ａが形成され、この開口１０ａの縁から内部に返された片部１５を有する袋体１０、及び開口１０ａを介して右側に繰り出し可能に袋体１０に収容され、左側に片部１５に向かって右側に返された片部２２を有する紙片２０を備える。左側に袋体１０の片部１５に向かって右側に返された片部２２を有する紙片２０が、開口１０ａの縁から内部に返された片部１５を有する袋体１０に、開口１０ａを介して右側に繰り出し可能に収容されている。それにより、紙片２０を袋体１０から繰り出すと紙片２０の片部２２が袋体１０の片部１５に係ることで、文字が書き留められる本体を袋体１０外に出して、紙片２０を袋体１０に留めることができる。【選択図】図１
0003199850.tif 000002
【実用新案登録請求の範囲】
【請求項１】
文字を書き留めるための付箋であって、
一軸方向の一側に開口が形成され、該開口の縁から内部に返された第１片部を有する袋体と、
前記開口を介して前記一軸方向の一側に繰り出し可能に前記袋体に収容され、前記一軸方向の他側に前記第１片部に向かって前記一軸方向の一側に返された第２片部を有する紙片と、
を備える付箋。
【請求項２】
前記袋体は、前記紙片を挟んで重なる２つの面を有し、前記２つの面の一方の外面に粘着性を有する付着部が設けられることを特徴とする、請求項１に記載の付箋。
【請求項３】
前記紙片は、前記一軸方向に関して前記袋体より長く、前記一軸方向の一側の先端に摘み部を有することを特徴とする、請求項１又は２に記載の付箋。
【考案の詳細な説明】
【技術分野】
【０００１】
本考案は、文字を書き留めるための付箋に関する。
【背景技術】
【０００２】
今日、表面に文字を書き留め、裏面の一部に設けられた弱粘着性の付着部を利用して任意の場所に貼り付け、不要になった時に痕を残すことなく容易に剥がすことのできる付箋が広く普及している。付箋の用途として単にメモを書き留めるに限らず、例えば特許文献１に開示されている付箋は、書き留められた文字を隠す遮蔽部を備え、その遮蔽部により英単語などの書き留められた文字を隠して学習する学習ツールとして利用することができる。ここで、メッセージ、パスワード等の秘匿性の高い文字を書き留め、隠ぺいし、必要な時に容易に内容を見ることのできる用途も期待される。
【先行技術文献】
【特許文献】
【０００３】
【特許文献１】特開２０１５−４４３４１号公報
【考案の概要】
【考案が解決しようとする課題】
【０００４】
本考案は、書き留められた文字を隠すことができる付箋を提供することを課題とする。
【課題を解決するための手段】
【０００５】
本考案は、文字を書き留めるための付箋であって、一軸方向の一側に開口が形成され、この開口の縁から内部に返された第１片部を有する袋体と、開口を介して一軸方向の一側に繰り出し可能に袋体に収容され、一軸方向の他側に第１片部に向かって一軸方向の一側に返された第２片部を有する紙片と、を備える付箋である。
【０００６】
これによれば、一軸方向の他側に袋体の第１片部に向かって一軸方向の一側に返された第２片部を有する紙片が、開口の縁から内部に返された第１片部を有する袋体に、開口を介して一軸方向の一側に繰り出し可能に収容されている。それにより、紙片を袋体から繰り出すと紙片の第２片部が袋体の第１片部に係ることで、文字が書き留められる部分を袋体外に出して、紙片を袋体に留めることができる。
【０００７】
本考案の付箋は、袋体は、紙片を挟んで重なる２つの面を有し、２つの面の一方の外面に粘着性を有する付着部が設けられることを特徴とする。
【０００８】
これによれば、袋体の２つの面の一方の外面に粘着性を有する付着部が設けられていることで、その付着部により付箋を付着することができる。
【０００９】
本考案の付箋は、紙片は、一軸方向に関して袋体より長く、一軸方向の一側の先端に摘み部を有することを特徴とする。
【００１０】
これによれば、紙片が一軸方向に関して袋体より長いことで、紙片を袋体内に収容した際に一軸方向の一側の先端の摘み部が袋体から突出する。それにより、摘み部を用いて、紙片を袋体から繰り出すことが可能となる。
【考案の効果】
【００１１】
本考案の付箋によれば、書き留められた文字を隠すことが可能となる。
【図面の簡単な説明】
【００１２】
【図１】図１は、本実施形態に係る付箋の構成を示す図である。
【図２】図２は、袋体の作成手順を説明するための図である。
【図３】図３は、紙片の作成手順を説明するための図である。
【図４】図４は、付箋の使用方法を説明するための図である。
【考案を実施するための形態】
【００１３】
以下、本考案の一実施形態について説明する。
【００１４】
図１に、本実施形態に係る付箋１の構成を示す。ここで、図１（Ａ）及び図１（Ｂ）は、それぞれ、付箋１の表側及び裏側の構成を、破線を用いて内部の構成とともに示す。付箋１は、文字を書き留めるための紙片を隠すことができる付箋であり、袋体１０及び紙片２０を含んで構成される。
【００１５】
袋体１０は、紙片２０を収容する袋状の部材である。袋体１０は、一例として、紙質の素材或いは合成樹脂を用いて、図面左右方向を長手とする矩形状の表面１１及び裏面１２，１３を図面奥行き方向に紙片２０を挟んで重ねて、図面右側に開口１０ａを有する平筒状に成形されている。ここで、表面１１には、筆記具により文字を書き留めることができる。裏面１２，１３には、そのほぼ一面に弱粘着性を有する付着部１３ａが設けられ、その付着部１３ａにより付箋１を書籍、スクリーン、ボード等の面上に着脱可能に付着することができる。
【００１６】
なお、付箋１の裏面１２，１３上に設けられた付着部１３ａに剥離フィルムをカバーしてもよい。また、付箋１の裏面１２，１３上の付着部１３ａに別の付箋１の表面１１を付着し、複数の付箋１を重ねることで付着部１３ａをカバーしてもよい。
【００１７】
さらに、袋体１０は、表面１１の右端に対応する開口１０ａの縁から袋体１０の内部に返された片部１５を有する。片部１５の機能については後述する。
【００１８】
紙片２０は、その一面、さらには他面に文字を書き留めることができるシート状の部材である。紙片２０は、一例として、紙質の素材を用いて、図面左右方向を長手とする矩形状に成形されている。紙片２０の長手は袋体１０の長手及より長く、紙片２０の短手は袋体１０の短手より短い。それにより、紙片２０を袋体１０内に収容することができる。ただし、紙片２０の図面右側の先端が、開口１０ａを介して袋体１０から突出する。この突出する紙片２０の部分が摘み部２３となり、その摘み部２３を用いて紙片２０を開口１０ａを介して袋体１０から図面右方に繰り出すことができる。逆に、紙片２０を図面左方に戻して、袋体１０内に収容することもできる。
【００１９】
さらに、紙片２０は、図面左側の端部に、袋体１０の片部１５に向かって図面手前を介して図面右側に返された片部２２を有する。片部２２の機能については後述する。
【００２０】
袋体１０の作成手順について説明する。
【００２１】
袋体１０は、図２（Ａ）に示す形状の平紙を用いて作成される。ここで、図２（Ａ）に示す平紙は、図１（Ｂ）に示す裏面を図面手前に向けた袋体１０を平面展開した形状に対応する。袋体１０は、図面左右方向を長手とする矩形状を有する表面１１、表面１１の上辺及び下辺にそれぞれ接続する矩形状の第１及び第２裏面１２，１３、及び表面の図面左辺及び右辺にそれぞれ接続する等脚台形状の片部１４，１５を有する。
【００２２】
まず、図２（Ｂ）に示すように、片部１４，１５を図面手前を介して内側（それぞれ図面右側及び左側）に折り返す。片部１４の一面に接着剤を塗布して接着面１４ａを設ける。
【００２３】
次に、図２（Ｃ）に示すように、第１裏面１２を図面手前を介して内側（図面下側）に折り返す。このとき、第１裏面１２の左内面を片部１４上の接着面１４ａに重ねる。さらに、第１裏面１２の下外面に接着剤を塗布して接着面１２ａを設ける。
【００２４】
次に、図２（Ｄ）に示すように、第２裏面１３を図面手前を介して内側（図面上側）に折り返す。このとき、第２裏面１３の左内面を片部１４上の接着面１４ａに重ね、上内面を第１裏面１２の下外面上の接着面１２ａに重ねる。それにより、図面右側に開口１０ａが形成され、開口１０ａの縁から袋体１０の内部に片部１５が返され、図面左側が閉じた平筒状の袋体１０が成形される。
【００２５】
最後に、裏面１２，１３の一面に弱い粘着剤を塗布して、図１（Ｂ）に示すように付着部１３ａを設ける。
【００２６】
紙片２０の作成手順について説明する。
【００２７】
紙片２０は、図３（Ａ）に示す形状の平紙を用いて作成される。ここで、図３（Ａ）に示す平紙は、図１（Ａ）に示す袋体１０内に収容された紙片２０を平面展開した形状に対応する。紙片２０は、図面左右方向を長手とする矩形状を有する本体２１及び本体２１の図面左辺に接続する等脚台形状の片部２２を有する。なお、本体２１の図面右端に摘み部２３が設けられる。図３（Ｂ）に示すように、片部２２を図面手前を介して内側（図面右側）に折り返すことで、紙片２０が成形される。
【００２８】
付箋１は、図２（Ｄ）に示す袋体１０の表裏を反転し、図３（Ｂ）に示す紙片２０を、その左端から開口１０ａを介して袋体１０内に挿入する。それにより、図１（Ａ）に示すように、摘み部２３を突出して、紙片２０が袋体１０内に収容される。
【００２９】
付箋１の使用方法及び片部１５，２２の機能について説明する。
【００３０】
図４（Ａ）に、紙片２０が袋体１０内に収容された状態における付箋１を示す。手指により紙片２０の摘み部２３を挟んで、黒塗り矢印の方法に引く。それにより、袋体１０から紙片２０が繰り出される。このとき、図４（Ｂ）及び図４（Ｃ）に示すように、片部１５が紙片２０に向かって折り返され、片部２２が表面１１に向かって折り返されていることで、片部１５，２２が互いに係合して紙片２０が袋体１０により留められる。なお、紙片２０を黒塗り矢印の逆方向に戻すことで、紙片２０が袋体１０に収容される。
【００３１】
付箋１の用途として、紙片２０の本体２１上にメッセージ、パスワード等の秘匿性の高い文字を書き留め、紙片２０を袋体１０内に収容して付箋１を渡すことで、紙片２０に書き留められた内容を他人に見られることなく伝えることができる。その他、袋体１０の表面１１に英単語、紙片２０の本体２１にその意味を書き留め、紙片２０を袋体１０内に収容した状態で袋体１０の表面１１に書き留められた英単語を見てその意味を考え、紙片２０を袋体１０から繰出して本体２１に書き留められた意味を見て確認する単語帳として利用することもできる。
【００３２】
以上詳細に説明したように、本実施形態の付箋１は、一軸方向の一側に開口１０ａが形成され、この開口１０ａの縁から内部に返された片部１５を有する袋体１０、及び開口１０ａを介して一軸方向の一側に繰り出し可能に袋体１０に収容され、一軸方向の他側に片部１５に向かって一軸方向の一側に返された片部２２を有する紙片２０を備える。一軸方向の他側に袋体１０の片部１５に向かって一軸方向の一側に返された片部２２を有する紙片２０が、開口１０ａの縁から内部に返された片部１５を有する袋体１０に、開口１０ａを介して一軸方向の一側に繰り出し可能に収容されている。それにより、紙片２０を袋体１０から繰り出すと紙片２０の片部２２が袋体１０の片部１５に係ることで、文字が書き留められる本体２１を袋体１０外に出して、紙片２０を袋体１０に留めることができる。
【００３３】
なお、袋体１０及び紙片２０が矩形であるものとして説明したが、紙片２０繰り出し可能に袋体１０に収容され、片部２２と片部１５とによって紙片２０を袋体１０に留めることができればいかなる形状でもよい。例えば円形の袋体１０に矩形の紙片２０を収容してもよい。また、袋体１０及び紙片２０の表面に模様を施してもよい。
【産業上の利用可能性】
【００３４】
本考案の付箋は、書き留められた文字を隠すのに好適である。多くの個人及び企業における利用が考えられる。
【符号の説明】
【００３５】
１    付箋
１０    袋体
１０ａ  開口
１１    表面
１２    裏面
１２ａ  接着面
１３    裏面
１３ａ  付着部
１４    片部
１４ａ  接着面
１５    片部
２０    紙片
２１    本体
２２    片部
２３    摘み部
【図１】
0003199850.tif 000003
【図２】
0003199850.tif 000004
【図３】
0003199850.tif 000005
【図４】
0003199850.tif 000006